(57)【要約】【課題】開閉扉を開けたときにシート材検知手段への給電が停止していても、当該シート材検知手段に対応するシート材搬送不良箇所や搬送不良解消操作箇所を確認できるようにする。【解決手段】給電手段からの給電を受けてシート材を検知するシート材検知手段１００等と、開閉扉４００〜４０３が開状態になることで視認可能となる装置本体内の位置に配置され、シート材搬送不良箇所や搬送不良解消操作箇所を視覚的に報知する視覚報知手段２００〜２１７と、前記シート材検知手段の検知結果に基づいて前記視覚報知手段を制御するとともに、開閉検知手段の検知結果に基づいて開閉扉が開状態であるときに前記給電手段から前記シート材検知手段への給電を停止させる制御手段７００とを有し、前記制御手段は、前記開閉扉が開状態になった後の前記視覚報知手段の報知状態を、該開閉扉が開状態になる直前の報知状態と同じにする開状態報知制御を実行する。【選択図】図１
2016069151.tif 000002
【特許請求の範囲】
【請求項１】
シート材搬送路に沿ってシート材を搬送するシート材搬送装置において、
開閉扉と、
開閉扉の開閉状態を検知する開閉検知手段と、
装置本体に設けられる給電手段と、
前記給電手段からの給電を受けてシート材を検知するシート材検知手段と、
前記開閉扉が開状態になることで視認可能となる装置本体内の位置に配置され、シート材搬送不良箇所を視覚的に報知し、又は、該シート材搬送不良箇所の搬送不良を解消するためにユーザーによって操作される搬送不良解消操作箇所を視覚的に報知する視覚報知手段と、
前記シート材検知手段の検知結果に基づいて、前記視覚報知手段を制御する報知制御手段と、
前記開閉検知手段の検知結果に基づいて、前記開閉扉が開状態であるときに前記給電手段から前記シート材検知手段への給電を停止させる給電制御手段とを有し、
前記報知制御手段は、前記開閉扉が開状態になった後の前記視覚報知手段の報知状態を、該開閉扉が開状態になる直前の報知状態と同じにする開状態報知制御を実行することを特徴とするシート材搬送装置。
【請求項２】
請求項１に記載のシート材搬送装置において、
前記開閉扉が開状態になることで装置本体に対して移動させることが可能となる移動ユニットを有し、
前記シート材検知手段は、前記移動ユニット上に設けられたものであることを特徴とするシート材搬送装置。
【請求項３】
請求項１又は２に記載のシート材搬送装置において、
前記開閉扉が閉状態であるときの前記シート材検知手段の検知結果を記憶する記憶手段を有し、
前記報知制御手段は、前記開閉扉が開状態になったら、前記記憶手段に記憶されている前記シート材検知手段の検知結果に基づいて前記視覚報知手段を制御することにより、前記開状態報知制御を実行することを特徴とするシート材搬送装置。
【請求項４】
請求項１乃至３のいずれか１項に記載のシート材搬送装置において、
前記開閉扉の開閉状態にかかわらず、前記シート材検知手段に対応するシート材搬送不良箇所又は搬送不良解消操作箇所を報知する前記視覚報知手段とは別の報知手段を有し、
前記報知制御手段は、前記シート材検知手段の検知結果に基づいて、少なくとも前記開閉扉が閉状態であるときに該シート材検知手段に対応するシート材搬送不良箇所又は搬送不良解消操作箇所を前記別の報知手段に報知させることを特徴とするシート材搬送装置。
【請求項５】
請求項４に記載のシート材搬送装置において、
前記視覚報知手段及び前記別の報知手段は、互いに同じシート材搬送不良箇所又は搬送不良解消操作箇所を報知することを特徴とするシート材搬送装置。
【請求項６】
請求項１乃至５のいずれか１項に記載のシート材搬送装置において、
前記視覚報知手段は、前記シート材検知手段に対応するシート材搬送不良箇所又は搬送不良解消操作箇所の近傍に配置されていることを特徴とするシート材搬送装置。
【請求項７】
請求項１乃至６のいずれか１項に記載のシート材搬送装置において、
前記シート材検知手段を含む複数のシート材検知手段がシート材搬送路に沿って配置されており、
隣接する２つのシート材検知手段のシート材搬送路上の距離間隔がシート材の搬送方向長さよりも広く設定されており、
前記２つのシート材検知手段の検知結果に応じた仮想検知結果を記憶する仮想検知結果記憶手段を有し、
前記報知制御手段は、前記２つのシート材検知手段のうちのシート材搬送方向上流側のシート材検知手段によるシート材の検知に応じて前記仮想検知結果記憶手段の仮想検知結果をシート材検知の内容に変更するとともに、該２つのシート材検知手段のうちのシート材搬送方向下流側のシート材検知手段によるシート材の検知に応じて前記仮想検知結果記憶手段の仮想検知結果をシート材非検知の内容に変更する仮想検知制御を実行するものであり、
前記報知制御手段は、前記複数のシート材検知手段の検知結果及び前記仮想検知結果記憶手段の仮想検知結果に基づいて、シート材搬送不良箇所又は搬送不良解消操作箇所を報知させることを特徴とするシート材搬送装置。
【請求項８】
請求項７に記載のシート材搬送装置において、
前記報知制御手段は、前記２つのシート材検知手段の検知結果と前記仮想検知結果記憶手段の仮想検知結果との少なくとも一方がシート材を検知しているときに、該２つのシート材検知手段に対応するシート材搬送不良箇所又は搬送不良解消操作箇所を報知させることを特徴とするシート材搬送装置。
【請求項９】
シート材搬送装置により搬送されるシート材上に画像を形成する画像形成装置において、
前記シート材搬送装置として、請求項１乃至８のいずれか１項に記載のシート材搬送装置を用いることを特徴とする画像形成装置。
【発明の詳細な説明】
【技術分野】
【０００１】
本発明は、シート材搬送装置及び画像形成装置に関するものである。
【背景技術】
【０００２】
従来、シート材検知手段の検知結果からシート材搬送経路上で発生したジャム等のシート材搬送不良が検知されると、その旨を報知手段により報知するシート材搬送装置が知られている。
【０００３】
特許文献１には、ジャム処理（搬送不良解消操作）時に操作すべき操作箇所（搬送不良解消操作箇所）をユーザーが容易に確認できるように、その操作箇所の近傍に発光部材（視覚報知手段）を設けた画像形成装置が開示されている。この画像形成装置では、残存媒体検知手段（シート材検知手段）の検知結果から、当該操作箇所を操作すべきジャムが発生したと判断されたとき、前記発光部材を発光させることにより、ジャム処理時に操作すべき操作箇所をユーザーに知らせる。
【発明の概要】
【発明が解決しようとする課題】
【０００４】
シート材搬送装置は、シート材搬送路がシート材搬送装置の外装カバーに覆われている場合が多いので、ジャム処理の際には、外装カバーに設けられた開閉扉を開状態にして装置内部を開放した後に、ジャム処理対象のシート材をシート材搬送路から除去する作業を行う。このとき、一般には、この作業で取り扱われる部材やその作業時にユーザーが触れるおそれのある部材等への給電を停止させる。具体的には、開閉扉の開閉動作を検知する開閉検知手段を設け、開閉扉が開状態になったら給電を停止し、開閉扉が閉状態になったら給電を再開するという給電制御を実行する。
【０００５】
ところが、このように開閉扉の開閉動作に連動して給電を制御する場合、前記特許文献１に開示の画像形成装置のようにジャム処理時に搬送不良解消操作箇所近傍の発光部材を発光させる構成においては、次のような問題が発生する。
【０００６】
このような発光部材の発光制御は、一般に、搬送不良解消操作箇所に対応するシート材検知手段からのシート検知信号に応じて行われる。具体的には、シート材検知手段からのシート検知信号がＯＮである期間（シート材が検知されている期間）は発光部材を発光させ、シート材検知手段からのシート検知信号がＯＦＦである期間（シート材が検知されていない期間）は発光部材を発光させないという制御を行う。このとき、そのシート材検知手段が給電制御により給電が停止する対象となっていると、ジャム処理時に開閉扉を開いた時点で当該シート材検知手段への給電が停止する。そうすると、シート検知信号が不定となり、通常は、発光部材が発光しない状態になる。すなわち、開閉扉の開閉動作に連動した給電制御の対象となっているシート材検知手段に対応したシート材搬送経路部分でシート材のジャムが発生した場合には、そのジャム処理のために開閉扉を開けた時点で当該シート材検知手段に対応する搬送不良解消操作箇所の発光部材の発光が停止することになる。その結果、ユーザーは、そのジャム処理のために開閉扉を開けて発光部材の発光により搬送不良解消操作箇所を確認しようとしても、その確認ができず、搬送不良解消操作箇所を探す作業を強いられるという問題が発生する。
【０００７】
なお、この問題は、搬送不良解消操作箇所近傍の発光部材を発光させる場合に限らず、開閉扉が開状態になることで視認可能となる位置に配置された視覚報知手段により、シート材搬送不良箇所や搬送不良解消操作箇所を視覚的に報知するものであれば、同様に生じ得る問題である。
【課題を解決するための手段】
【０００８】
上述した課題を解決するために、本発明は、シート材搬送路に沿ってシート材を搬送するシート材搬送装置において、開閉扉と、開閉扉の開閉状態を検知する開閉検知手段と、前記開閉扉が開状態になることで装置本体に対して移動させることが可能となる移動ユニットと、装置本体に設けられる給電手段と、前記移動ユニット上に設けられ、前記給電手段からの給電を受けてシート材を検知するシート材検知手段と、前記開閉扉が開状態になることで視認可能となる装置本体上の位置に配置され、シート材搬送不良箇所を視覚的に報知し、又は、該シート材搬送不良箇所の搬送不良を解消するためにユーザーによって操作される搬送不良解消操作箇所を視覚的に報知する視覚報知手段と、前記シート材検知手段の検知結果に基づいて、該シート材検知手段に対応するシート材搬送不良箇所又は搬送不良解消操作箇所を前記視覚報知手段に報知させる報知制御手段と、前記開閉検知手段の検知結果に基づいて、前記開閉扉が開状態であるときに前記給電手段から前記シート材検知手段への給電を停止させる給電制御手段とを有し、前記報知制御手段は、前記開閉扉が開状態になった後の前記視覚報知手段の報知状態を、該開閉扉が開状態になる直前の報知状態と同じにする開状態報知制御を実行することを特徴とする。
【発明の効果】
【０００９】
本発明によれば、搬送不良を解消するために開閉扉を開けたとき、シート材検知手段への給電が停止していても、当該シート材検知手段に対応するシート材搬送不良箇所や搬送不良解消操作箇所を確認できるという優れた効果が奏される。
【図面の簡単な説明】
【００１０】
【図１】実施形態における画像形成装置の概略構成を示す説明図である。
【図２】（ａ）〜（ｃ）は、ダミーセンサ制御の内容を示す説明図である。
【図３】実施形態におけるジャム処理制御の一例を示すフローチャートである。
【発明を実施するための形態】
【００１１】
以下、本発明に係るシート材搬送装置としての用紙搬送装置を、画像形成装置に適用した一実施形態について説明する。
図１は、本実施形態における画像形成装置の概略構成を示す説明図である。
本実施形態の画像形成装置は、図中右側の第１セクション１と図中左側の第２セクション２とに大別することができる。第１セクション１には、イエロー（Ｙ）、マゼンタ（Ｍ）、シアン（Ｃ）、ブラック（Ｋ）用の作像ユニット６Ｙ，６Ｍ，６Ｃ，６Ｋが、中間転写体である中間転写ベルト７の表面移動方向に沿って並べて配置されている。各作像ユニット６Ｙ，６Ｍ，６Ｃ，６Ｋは、それぞれ、潜像担持体としての感光体を備え、その感光体の周囲に、帯電手段としての帯電装置、潜像形成手段としての露光装置、現像手段としての現像装置、一次転写手段としての一次転写装置、クリーニング手段としてのクリーニング装置などが設けられた、一般的な電子写真方式の構成を備えている。
【００１２】
画像形成動作時においては、各作像ユニット６Ｙ，６Ｍ，６Ｃ，６Ｋにおいて、各色の画像信号に基づいてそれぞれの感光体上に各色のトナー像が形成される。各色トナー像は、中間転写ベルト７上で互いに重なり合うように一次転写され、中間転写ベルト７の表面移動に伴って二次転写装置８へ搬送される。
【００１３】
一方、シート材としての記録材である用紙は、給紙装置５００，５０１に収容されている。これらの給紙装置５００，５０１から用紙が一枚ずつ給紙され、用紙搬送路６００，６０１を通って、紙搬送路６０２から、レジストユニット３へと搬送される。レジストユニット３へ搬送されてきた用紙は、レジストユニット３内のレジストローラ対９に突き当たることで斜行補正され、搬送が一次停止される。その後、中間転写ベルト７上のトナー像が二次転写装置８へ到達する時期に用紙も二次転写装置８へ到達するようにレジストローラ対９を駆動する。
【００１４】
二次転写装置８は、中間転写ベルト７上のトナー像を用紙上に二次転写する。トナー像が転写された用紙は、紙搬送部６０３により搬送され、第１セクション１から第２セクション２へと送られる。
【００１５】
第２セクション２に送られた用紙は、第２セクション２に設けられている定着手段としての定着ユニット４に送られる。この定着ユニット４において熱と圧力の作用を受けて用紙上のトナーが用紙に定着される。その後、用紙は、紙搬送路６０４を通る間に冷却され、片面印刷の場合には、紙搬送路６０５を介して第２セクション２から排紙される。両面印刷の場合、用紙は、紙搬送路６０６を通って、再び、レジストユニット３へと送られ、二次転写装置８により裏面側にトナー像が二次転写される。その後、定着ユニット４を経た後、搬送路６０５から排紙される。
【００１６】
本実施形態における画像形成装置の各セクション１，２には、それぞれ、開閉扉４００，４０１，４０２，４０３が設けられている。これらの開閉扉を開くことで、各セクション１，２の内部へユーザーがアクセスできるようになる。本実施形態のレジストユニット３は、画像形成装置本体に対して図中手前側に引き出すことができる移動ユニットである。このレジストユニット３は、開閉扉４００，４０１を開状態にすることで、画像形成装置本体（第１セクション１）から装置外部へ引き出すことができる。これにより、画像形成装置本体からレジストユニット３を引き出すことで、レジストユニット３内でジャムした用紙などを除去するジャム処理作業が容易になる。
【００１７】
また、本実施形態の定着ユニット４も、画像形成装置本体に対して図中手前側に引き出すことができる移動ユニットである。この定着ユニット４は、開閉扉４０２，４０３を開状態にすることで、画像形成装置本体（第２セクション２）から装置外部へ引き出すことができる。これにより、画像形成装置本体から定着ユニット４を引き出すことで、定着ユニット４内でジャムした用紙などを除去するジャム処理作業が容易になる。
【００１８】
また、本実施形態のガイド板３００〜３１２も、画像形成装置本体に対して図中矢印の方向へ移動できる移動ユニットである。これらのガイド板３００〜３１２も、開閉扉４００〜４０３を開状態にすることで、移動させることができる。ガイド板３００〜３１２を移動させることで、ジャムした用紙などを除去するジャム処理作業が容易になる。
【００１９】
本実施形態においては、画像形成装置内の紙搬送路６００〜６０６に沿って搬送される用紙のジャムを検知するために、多数のジャム検知センサ１００〜１３３が設けられている。これらのジャム検知センサ１００〜１３３は、それぞれの検知箇所に用紙が存在する間はＯＮ信号を制御部７００へ出力し、それぞれの検知箇所に用紙が不在の間はＯＦＦ信号を制御部７００へ出力する。このようなジャム検知センサ１００〜１３３としては、例えば、紙搬送路を挟んで発光素子と受光素子とが配置された透過型光学センサを利用することができる。
【００２０】
制御部７００は、各ジャム検知センサ１００〜１３３の検知結果に基づいてジャムが発生したか否かを判断することができる。具体的には、予め決められた期間に各ジャム検知センサ１００〜１３３からのＯＮ信号又はＯＦＦ信号を受信した場合又は受信できなかった場合に、そのジャム検知センサ１００〜１３３に対応する検知箇所又はその近傍（シート材搬送不良箇所）でジャムが発生したと判断する。
【００２１】
ジャムが発生したと判断した場合、制御部７００は、画像形成動作を停止させるなどの所定のジャム処理制御を実施するとともに、操作パネル５（別の報知手段）を制御してジャム報知を行う。このジャム報知では、例えば、対応するジャム検知センサ１００〜１３３に応じたジャム箇所（シート材搬送不良箇所）や、ジャム箇所の用紙を除去するジャム処理作業時にユーザーが操作すべき開閉扉４００〜４０３等（搬送不良解消操作箇所）などを、ユーザーに報知する。
【００２２】
また、本実施形態においては、開閉扉４００〜４０３が開状態になることで視認可能となる装置本体上の位置（装置本体内部）に、ジャム箇所や、移動させるべき移動ユニット３，４，３００〜３１２など（搬送不良解消操作箇所）を視覚的に報知する視覚報知手段としてのＬＥＤランプ２００〜２１７が設けられている。これらのＬＥＤランプ２００〜２１７は、下記の表１に示すように、それぞれ、ジャム検知センサ１００〜１３３に対応して設けられており、対応するジャム検知センサ１００〜１３３によりジャムが検知されると、対応するＬＥＤランプ２００〜２１７が点灯する。
【００２３】
【表１】
2016069151.tif 000003
【００２４】
具体的には、制御部７００は、ジャム検知センサ１００〜１３３の検知結果に基づいてジャムが発生したと判断したとき、そのジャム検知センサ１００〜１３３に対応するＬＥＤランプ２００〜２１７を点灯させる制御を行う。これにより、開閉扉４００〜４０３を開けて装置内部を視認したユーザーは、点灯しているＬＥＤランプ２００〜２１７を確認することで、どの移動ユニット３，４，３００〜３１２に対してジャム処理作業を行えばよいかを、すぐに把握することができる。
【００２５】
レジストユニット３には、用紙の有無を検知するシート材検知手段としてのジャム検知センサ１００，１３２，１３３がレジストユニット３内の紙搬送路（シート材搬送路）に沿って３つ配置されている。これらのジャム検知センサ１００，１３２，１３３は、画像形成装置本体に設けられている給電手段としての図示しない電源部からの給電を受けることで用紙検知動作を行うことが可能である。
【００２６】
また、定着ユニット４にも、用紙の有無を検知するシート材検知手段としてのジャム検知センサ１０５，１０６，１０７が配置されている。ジャム検知センサ１０５は、定着ユニット４の定着ベルトに巻き付いた用紙を検知できる位置に配置されている。ジャム検知センサ１０６は、定着ユニット４の定着ベルトと加圧ローラとの定着ニップを紙搬送路に沿って適切に通過した用紙を検知できる位置に配置されている。ジャム検知センサ１０７は、定着ユニット４の加圧ローラに巻き付いた用紙を検知できる位置に配置されている。これらのジャム検知センサ１０５，１０６，１０７も、画像形成装置本体に設けられている給電手段としての図示しない電源部からの給電を受けることで用紙検知動作を行うことが可能である。
【００２７】
また、ガイド板３００〜３１２の中にも、用紙の有無を検知するシート材検知手段としてのジャム検知センサが配置されたものが存在する。これらのジャム検知センサも、画像形成装置本体に設けられている給電手段としての図示しない電源部からの給電を受けることで用紙検知動作を行うことが可能である。
【００２８】
本実施形態において、レジストユニット３上に設けられた隣接する２つのジャム検知センサ１３２，１３３は、紙搬送路上の距離間隔が用紙の搬送方向長さよりも広く設定されている。このような構成とすることで、ジャム検知センサの数を減らすことができ、低コスト化を図ることができる。しかしながら、これらのジャム検知センサ１３２，１３３の検知箇所の間でちょうど用紙がジャムしてしまうと、これらのジャム検知センサ１３２，１３３の出力信号から用紙のジャム箇所を適切に把握することができない。
【００２９】
そこで、本実施形態では、以下のようなダミーセンサ制御を実施することにより、これらのジャム検知センサ１３２，１３３の検知箇所の間でちょうど用紙がジャムしてしまっても、そのジャム箇所を適切に把握できるようにしている。
【００３０】
図２（ａ）〜（ｃ）は、ダミーセンサ制御の内容を示す説明図である。
本実施形態において、制御部７００は、用紙搬送方向上流側のジャム検知センサ１３２がＯＮ信号を出力すると、所定の記憶部（仮想検知結果記憶手段）の記憶値（以下「ダミーセンサ値１３４」という。）を、用紙検知状態を示すセンサ値ＯＮとする。また、制御部７００は、用紙搬送方向下流側のジャム検知センサ１３３がＯＮ信号を出力すると、所定の記憶部（仮想検知結果記憶手段）のダミーセンサ値１３４を、用紙非検知状態を示すセンサ値ＯＦＦにする。このようなダミーセンサ制御を実施することにより、制御部７００は、図２（ｂ）に示す位置で用紙Ｐがジャムした場合でも、ダミーセンサ値１３４がＯＮを示していることにより、当該位置で用紙がジャムしたことを把握することができる。
【００３１】
ここで、レジストユニット３を装置本体から引き出すと、レジストユニット３上の被給電コネクタが装置本体側の給電コネクタから離間し、レジストユニット３上のジャム検知センサ１００，１３２，１３３への給電が停止する。同様に、定着ユニット４も、装置本体から引き出すと、定着ユニット４上の被給電コネクタが装置本体側の給電コネクタから離間し、定着ユニット４上のジャム検知センサ１０５，１０６，１０７への給電が停止する。また、ジャム検知センサを備えたガイド板３００〜３１２も、これを図中矢印の方向へ移動させると、ガイド板上の被給電コネクタが装置本体側の給電コネクタから離間し、ガイド板上のジャム検知センサへの給電が停止する。
【００３２】
このような構成においては、移動ユニット３，４，３００〜３１２を移動させた際、給電が継続されている給電コネクタに対して移動ユニット上の被給電コネクタを接触させたり離間させたりすると、スパークが発生してコネクタがダメージを受けるという不具合が生じ得る。また、移動ユニット３，４，３００〜３１２を移動させて、給電が継続されている給電コネクタへ移動ユニット上の被給電コネクタを接触させると、突入電流が発生して各種電子回路がダメージを受けるという不具合も生じ得る。
【００３３】
そのため、本実施形態において、制御部７００は、給電制御手段として機能し、開閉扉４００〜４０３が開状態であるときには、装置本体の電源部から移動ユニット３，４，３００〜３１２への給電を停止させる制御を行っている。具体的には、各開閉扉４００〜４０３には、その開閉状態を検知する開閉検知手段としての開閉センサが設けられており、開閉センサからの出力信号が制御部７００へ出力されるように構成されている。制御部７００は、開閉センサからの出力信号に基づいて各開閉扉４００〜４０３の開閉状態を把握することができる。そして、制御部７００は、開閉センサからの出力信号に基づき、開閉扉４００〜４０３が開状態であると判断している間は給電を停止し、開閉扉４００〜４０３が閉状態であると判断している間は給電を行うように制御する。
【００３４】
このような制御により、装置内部の移動ユニット３，４，３００〜３１２を移動させる前段階で行われる開閉扉４００〜４０３の開動作に連動して給電が停止することができる。その結果、移動ユニット３，４，３００〜３１２の移動により移動ユニット上の被給電コネクタと装置本体側の給電コネクタとが接離する時にスパークや突入電流が発生することはない。
【００３５】
ところが、このように開閉扉４００〜４０３の開閉動作に連動して移動ユニット３，４，３００〜３１２上のジャム検知センサへの給電を制御する場合、開閉扉４００〜４０３の開状態にすると、移動ユニット３，４，３００〜３１２上のジャム検知センサからの出力信号が不定になる。この場合、制御部７００は、そのジャム検知センサの検知結果が確認できない状態であるため、例えば、そのジャム検知センサに対応するＬＥＤランプ２００〜２１７を点灯させず、消灯の状態にする。この場合、ユーザーは、開閉扉４００〜４０３を開けて装置内部を視認したときに、ＬＥＤランプ２００〜２１７の点灯を確認できず、どの移動ユニット３，４，３００〜３１２に対してジャム処理作業を行えばよいかを把握できなくなる。
【００３６】
そこで、本実施形態では、開閉扉４００〜４０３の開閉動作に連動して移動ユニット３，４，３００〜３１２上のジャム検知センサへの給電を制御する場合でも、適切にＬＥＤランプ２００〜２１７を点灯させることができる開状態報知制御を実行する。
【００３７】
図３は、本実施形態におけるジャム処理制御の一例を示すフローチャートである。
制御部７００は、ジャム検知センサ１００〜１３３からの出力信号に基づいてジャムが発生したと判断すると（Ｓ１のＹｅｓ）、画像形成動作を停止させるなどの所定のジャム処理制御を実施する。そして、制御部７００は、移動ユニット３，４，３００〜３１２上のセンサからの出力信号のセンサ値（ＯＮ信号かＯＦＦ信号かを識別するための値）を記憶手段に記憶する（Ｓ２）。なお、ここでいう移動ユニット３，４，３００〜３１２上のセンサのセンサ値は、上述したダミーセンサ値１３４を含むものである。
【００３８】
その後、制御部７００は、その記憶手段に記憶されたセンサ値と、移動ユニット３，４，３００〜３１２上のジャム検知センサ以外のジャム検知センサの出力信号のセンサ値に基づいて、操作パネル５を制御し、ジャム報知を行う（Ｓ３）。また、制御部７００は、その記憶手段に記憶されたセンサ値と、移動ユニット３，４，３００〜３１２上のジャム検知センサ以外のジャム検知センサの出力信号のセンサ値に基づいて、ＬＥＤランプの点灯制御を開始する（Ｓ４）。
【００３９】
その後、ユーザーが操作パネル５の報知内容に従って開閉扉４００〜４０３を開ける作業を行うと、開閉センサの出力信号に基づいて開閉扉４００〜４０３が開状態になったと、制御部７００が判断する（Ｓ５のＹｅｓ）。そして、制御部７００は、移動ユニット３，４，３００〜３１２上のジャム検知センサへの給電を停止する（Ｓ６）。これにより、開閉扉４００〜４０３を開けたユーザーが移動ユニット３，４，３００〜３１２を移動させたとしても、スパークや突入電流が発生することはない。
【００４０】
ここで、ジャム検知の根拠となる出力信号を出力したジャム検知センサが移動ユニット３，４，３００〜３１２上のセンサではない場合について説明する。
開閉扉４００〜４０３を開けても、移動ユニット３，４，３００〜３１２上のジャム検知センサ以外のジャム検知センサ（装置本体に設けられているジャム検知センサ）への給電は継続されている。したがって、ジャム検知の根拠となる出力信号を出力したジャム検知センサが移動ユニット３，４，３００〜３１２上のセンサではない場合には、開閉扉４００〜４０３が開状態であっても、対応するＬＥＤランプはそのセンサ値に従って点灯している。
【００４１】
したがって、装置内部を視認したユーザーは、点灯しているＬＥＤランプを確認することで、どの移動ユニット３，４，３００〜３１２に対してジャム処理作業を行えばよいか、あるいは、どの箇所で用紙がジャムしているのかを、すぐに把握することができる。そして、ユーザーが用紙を取り除く作業を行うと、ＯＮになっていたジャム検知センサのセンサ値がＯＦＦになる。これにより、制御部７００は、点灯していたＬＥＤランプを消灯させる制御を行う。
【００４２】
その後、ユーザーが用紙を取り除く作業を行って開閉扉を閉めると、開閉センサの出力信号に基づいて開閉扉４００〜４０３が閉状態になったと制御部７００が判断する（Ｓ７のＹｅｓ）。これにより、制御部７００は、移動ユニット３，４，３００〜３１２上のジャム検知センサへの給電を開始し（Ｓ８）、ジャム検知センサ１００〜１３３からの出力信号に基づいて再度のジャム検知を実施する（Ｓ９）。その結果、ジャムが検知されなければ、画像形成動作を再開させる。
【００４３】
次に、ジャム検知の根拠となる出力信号を出力したジャム検知センサが移動ユニット３，４，３００〜３１２上のセンサである場合について説明する。
開閉扉４００〜４０３が開状態であると、移動ユニット３，４，３００〜３１２上のジャム検知センサの出力信号は不定である。しかしながら、本実施形態において、制御部７００は、開閉扉４００〜４０３が開状態であるとき、移動ユニット３，４，３００〜３１２上のジャム検知センサのセンサ値ではなく、記憶手段に記憶されているセンサ値を用いて、ＬＥＤランプの点灯制御を行う。したがって、この場合も、対応するＬＥＤランプはそのセンサ値に従って点灯している。
【００４４】
したがって、ジャム検知の根拠となる出力信号を出力したジャム検知センサが移動ユニット３，４，３００〜３１２上のセンサである場合でも、装置内部を視認したユーザーは、点灯しているＬＥＤランプを確認することで、どの移動ユニット３，４，３００〜３１２に対してジャム処理作業を行えばよいか、あるいは、どの箇所で用紙がジャムしているのかを、すぐに把握することができる。
【００４５】
このとき、ユーザーが移動ユニット３，４，３００〜３１２を移動させるなどして用紙を取り除く作業を行っても、記憶手段内のセンサ値は変化しないので、制御部７００は、対応するＬＥＤランプを点灯させる制御を継続することになる。ただし、ユーザーが用紙を取り除く作業を行って開閉扉を閉めたと制御部７００が判断すると（Ｓ７のＹｅｓ）、制御部７００は、移動ユニット３，４，３００〜３１２上のジャム検知センサへの給電を開始し（Ｓ８）、移動ユニット３，４，３００〜３１２上のジャム検知センサを含めた全ジャム検知センサ１００〜１３３からの出力信号に基づいて再度のジャム検知を実施する（Ｓ９）。これにより、ジャムが検知されなければ、画像形成動作を再開させる。
【００４６】
以上に説明したものは一例であり、本発明は、次の態様毎に特有の効果を奏する。
（態様Ａ）
紙搬送路６００〜６０６等のシート材搬送路に沿って用紙等のシート材を搬送するシート材搬送装置において、開閉扉４００〜４０３と、開閉扉の開閉状態を検知する開閉センサ等の開閉検知手段と、装置本体に設けられる電源部等の給電手段と、前記給電手段からの給電を受けてシート材を検知するジャム検知センサ１００，１３２，１３３，１０５，１０６，１０７等のシート材検知手段と、前記開閉扉が開状態になることで視認可能となる装置本体内の位置に配置され、ジャム箇所等のシート材搬送不良箇所を視覚的に報知し、又は、該シート材搬送不良箇所の搬送不良を解消するためにユーザーによって操作される搬送不良解消操作箇所を視覚的に報知するＬＥＤランプ２００〜２１７等の視覚報知手段と、前記シート材検知手段の検知結果に基づいて、前記視覚報知手段を制御する制御部７００等の報知制御手段と、前記開閉検知手段の検知結果に基づいて、前記開閉扉が開状態であるときに前記給電手段から前記シート材検知手段への給電を停止させる制御部７００等の給電制御手段とを有し、前記報知制御手段は、前記開閉扉が開状態になった後の前記視覚報知手段の報知状態を、該開閉扉が開状態になる直前の報知状態と同じにする開状態報知制御を実行することを特徴とする。
本態様によれば、給電制御手段の制御対象であるシート材検知手段に対応する箇所でシート材の搬送不良が発生した場合、その搬送不良を解消するために開閉扉を開いた時点で、当該シート材検知手段への給電が停止する。このとき、本態様では、報知制御手段により開状態報知制御が実行される結果、開閉扉が開状態になることで視認可能となる位置に配置された視覚報知手段の報知状態は、開閉扉が開状態になっても、開閉扉が開状態になる直前の報知状態と同じものとなる。したがって、ユーザーは、搬送不良を解消するために開閉扉を開けたとき、シート材検知手段への給電が停止していても、視覚報知手段の報知を受けて、当該シート材検知手段に対応するシート材搬送不良箇所や搬送不良解消操作箇所を確認することができる。
なお、開閉扉が開状態になっている期間中ずっと、開閉扉が開状態になる直前の報知状態と同じである必要はなく、開閉扉が開状態になった直後から所定期間だけ、開閉扉が開状態になる直前の報知状態と同じになるように制御してもよい。この所定期間は、開閉扉を開状態にしてからユーザーが視覚報知手段の報知を受けるまでの通常の時間を考慮して決めればよい。
【００４７】
（態様Ｂ）
前記態様Ａにおいて、前記開閉扉が開状態になることで装置本体に対して移動させることが可能となるレジストユニット３、定着ユニット４、ガイド板３００〜３１２等の移動ユニットを有し、前記シート材検知手段は、前記移動ユニット上に設けられたものであることを特徴とする。
このような移動ユニット上にも、ジャム処理対象のシート材を検知するためのシート材検知手段が設けられる場合があり、この場合、シート材検知手段への給電は装置本体に設けられた給電手段から行う。移動ユニットは装置本体に対して移動可能であるため、一般には、移動ユニットがホームポジションに位置するときに移動ユニット上の被給電コネクタと装置本体側の給電コネクタとが接触し、移動ユニットがホームポジションから移動すると、これらが離間するような構成がとられる。このような構成においては、給電手段からの給電が継続された状態で移動ユニットを移動させると、装置本体側の給電コネクタと移動ユニット上の被給電コネクタとの接離時にスパークが発生し、これらのコネクタがダメージを受けるという不具合が生じ得る。また、移動ユニットをホームポジションに移動させて、移動ユニット上の被給電コネクタが装置本体側の給電コネクタに接触する際に、突入電流が発生して各種電子回路がダメージを受けるという不具合も生じ得る。そのため、移動ユニット上のシート材検知手段は、給電制御手段の制御対象となる場合が多い。この場合でも、ユーザーは、搬送不良を解消するために開閉扉を開けたとき、当該シート材検知手段への給電が停止していても、視覚報知手段の報知を受けて、当該シート材検知手段に対応するシート材搬送不良箇所や搬送不良解消操作箇所を確認することができる。
【００４８】
（態様Ｃ）
前記態様Ａ又はＢにおいて、前記開閉扉が閉状態であるときの前記シート材検知手段の検知結果（センサ値）を記憶する記憶手段を有し、前記報知制御手段は、前記開閉扉が開状態になったら、前記記憶手段に記憶されている前記シート材検知手段の検知結果に基づいて前記視覚報知手段を制御することにより、前記開状態報知制御を実行することを特徴とする。
これによれば、前記開状態報知制御を容易に実現することができる。
【００４９】
（態様Ｄ）
前記態様Ａ〜Ｃのいずれかの態様において、前記開閉扉の開閉状態にかかわらず、前記シート材検知手段に対応するシート材搬送不良箇所又は搬送不良解消操作箇所を報知する操作パネル５等の前記視覚報知手段とは別の報知手段を有し、前記報知制御手段は、前記シート材検知手段の検知結果に基づいて、少なくとも前記開閉扉が閉状態であるときに該シート材検知手段に対応するシート材搬送不良箇所又は搬送不良解消操作箇所を前記別の報知手段に報知させることを特徴とする。
これによれば、開閉扉を開ける前にシート材搬送不良箇所又は搬送不良解消操作箇所を報知することができる。
【００５０】
（態様Ｅ）
前記態様Ｄにおいて、前記視覚報知手段及び前記別の報知手段は、互いに同じシート材搬送不良箇所又は搬送不良解消操作箇所を報知することを特徴とする。
これによれば、より確実に、シート材搬送不良箇所や搬送不良解消操作箇所を操作者に知らせることができる。
【００５１】
（態様Ｆ）
前記態様Ａ〜Ｅのいずれかの態様において、前記視覚報知手段は、前記シート材検知手段に対応するシート材搬送不良箇所又は搬送不良解消操作箇所の近傍に配置されていることを特徴とする。
これにより、搬送不良解消操作を行うユーザー等の操作者は、シート材搬送不良箇所や搬送不良解消操作箇所を迅速に知ることができる。
【００５２】
（態様Ｇ）
前記態様Ａ〜Ｆのいずれかの態様において、前記シート材検知手段を含む複数のシート材検知手段がシート材搬送路に沿って配置されており、ジャム検知センサ１３２，１３３等の隣接する２つのシート材検知手段のシート材搬送路上の距離間隔がシート材の搬送方向長さよりも広く設定されており、前記２つのシート材検知手段の検知結果に応じた仮想検知結果を記憶する仮想検知結果記憶手段を有し、前記報知制御手段は、前記２つのシート材検知手段のうちのシート材搬送方向上流側のシート材検知手段（ジャム検知センサ１３２）によるシート材の検知（ＯＮ）に応じて前記仮想検知結果記憶手段の仮想検知結果をシート材検知の内容（ＯＮ）に変更するとともに、該２つのシート材検知手段のうちのシート材搬送方向下流側のシート材検知手段（ジャム検知センサ１３３）によるシート材の検知（ＯＮ）に応じて前記仮想検知結果記憶手段の仮想検知結果をシート材非検知の内容（ＯＦＦ）に変更する仮想検知制御を実行するものであり、前記報知制御手段は、前記複数のシート材検知手段の検知結果及び前記仮想検知結果記憶手段の仮想検知結果に基づいて、シート材搬送不良箇所又は搬送不良解消操作箇所を報知させることを特徴とする。
これによれば、シート材検知手段の数を少なくすることができる。
【００５３】
（態様Ｈ）
前記態様Ｇにおいて、前記報知制御手段は、前記２つのシート材検知手段の検知結果と前記仮想検知結果記憶手段の仮想検知結果との少なくとも一方がシート材を検知しているときに、該２つのシート材検知手段に対応するシート材搬送不良箇所又は搬送不良解消操作箇所を報知させることを特徴とする。
これによれば、より確実に、シート材搬送不良箇所や搬送不良解消操作箇所を知らせることができる。
【００５４】
（態様Ｉ）
シート材搬送装置により搬送されるシート材上に画像を形成する画像形成装置において、前記シート材搬送装置として、前記態様Ａ〜Ｈのいずれかの態様に係るシート材搬送装置を用いることを特徴とする。
これによれば、ユーザーは、搬送不良を解消するために開閉扉を開けたとき、シート材検知手段への給電が停止していても、視覚報知手段の報知を受けて、当該シート材検知手段に対応するシート材搬送不良箇所や搬送不良解消操作箇所を確認することができる。
【符号の説明】
【００５５】
３  レジストユニット（移動ユニット）
４  定着ユニット（移動ユニット）
５  操作パネル
６Ｙ，６Ｍ，６Ｃ，６Ｋ  作像ユニット
７  中間転写ベルト
８  二次転写装置
９  レジストローラ対
１００〜１３３  ジャム検知センサ
１３４  ダミーセンサ値
２００〜２１７  ＬＥＤランプ
３００〜３１２  ガイド板
４００〜４０３  開閉扉
５００，５０１  給紙装置
６００〜６０６  紙搬送路
７００  制御部
【先行技術文献】
【特許文献】
【００５６】
【特許文献１】特開２０１３−１８６２８７号公報
【図１】
2016069151.tif 000004
【図２】
2016069151.tif 000005
【図３】
2016069151.tif 000006